(57)【要約】【課題】  スリーディメンション（３Ｄ）の立体的効果を模倣した装飾ライトを提供する。【解決手段】  針金を折り曲げることで所定形状に形成したベースフレーム１と、前記ベースフレーム１に固定され、かつ端部が電源供給部に接続されるケーブルに発光ダイオードからなる光源が配設されたケーブルライト２と、プラスチック製の紐状材により前記ベースフレーム１と対応する相似形状に形成された支持フレーム３と、前記支持フレーム３をカバーするプラスチックカバー４とから構成した。【選択図】  図１
0003102289.tif 000002
【実用新案登録請求の範囲】
【請求項１】
針金を折り曲げることで所定形状に形成したベースフレーム１と、前記ベースフレーム１に固定され、かつ端部が電源供給部に接続されるケーブルに発光ダイオードからなる光源が配設されたケーブルライト２と、プラスチック製の紐状材により前記ベースフレーム１と対応する相似形状に形成された支持フレーム３と、前記支持フレーム３をカバーするプラスチックカバー４とから構成されたことを特徴とする装飾ライト。
【請求項２】
針金を折曲げることで所定形状に形成したベースフレーム１と、前記ベースフレーム１に固定され、かつ端部が電源供給部に接続されるケーブル内部に発光ダイオードからなる光源が配設されたケーブルライト２と、透明なプラスチックプレートにより前記ベースフレーム１と対応する相似形状に形成された支持フレーム３’と、前記支持フレーム３’をカバーするプラスチックカバー４とから構成されたことを特徴とする装飾ライト。
【請求項３】
プラスチックカバー４の材質は塩化ビニル樹脂（ＰＶＣ）であることを特徴とする請求項１又は２に記載の装飾ライト。
【考案の詳細な説明】
【技術分野】
【０００１】
本考案は、特に、スリー・ディメンション（３ Ｄｉｍｅｎｓｉｏｎ）の立体的効果を模倣した装飾ライトに関するものである。
【背景技術】
【０００２】
クリスマスや祭りなどの祭典には様々な形状の装飾ライトが沢山使用されている。従来の装飾ライトは、例えば米国特許第５，５３４，１３５号に示すように、不透明の平面状ボードに複数の孔を形成し、これら複数の孔にそれぞれ電球を並列接続状態に配設することにより装飾ライトを構成している。
【０００３】
又、例えば米国特許第５，９５５，１５６号では、平面状である透明のボードに複数の電球を設けることにより、電球からの光線を八方に放射させることができるものが提供されている。
【特許文献１】米国特許第５，５３４，１３５号
【特許文献２】米国特許第５，９５５，１５６号
【考案の開示】
【考案が解決しようとする課題】
【０００４】
しかしながら、上記従来の装飾ライトは、ツー・ディメンション（２  Ｄｉｍｅｎｓｉｏｎ）、即ち２次元の平面状ボードを使用することから、降雪時に、この装飾ライトを屋外で使用すると、ボード上に雪が積もってしまうので、光源部である電球の表面が雪で覆われて、光線が遮断されてしまう。
従って、平面状ボード上にサンタクロース、橇（そり）、或いはトナカイなどの形状を模したものを形成しても、リアルな形状を表現することができず、その場の装飾的ムードを高めることはできない。
【０００５】
そこで、案出されたのが本考案であって、スリー・ディメンション、即ち、長さ，高さ，厚さを有する立体的効果を模倣した装飾ライトを提供することを目的としている。
【課題を解決するための手段】
【０００６】
本願の請求項１に記載された装飾ライトは、針金を折り曲げることで所定形状に形成したベースフレーム１と、前記ベースフレーム１に固定され、かつ端部が電源供給部に接続されるケーブルに発光ダイオードからなる光源が配設されたケーブルライト２と、プラスチック製の紐状材により前記ベースフレーム１と対応する相似形状に形成された支持フレーム３と、前記支持フレーム３をカバーするプラスチックカバー４とから構成されたことを特徴とする。
請求項２に記載の装飾ライトは、針金を折曲げることで所定形状に形成したベースフレーム１と、前記ベースフレーム１に固定され、かつ端部が電源供給部に接続されるケーブル内部に発光ダイオードからなる光源が配設されたケーブルライト２と、透明なプラスチックプレートにより前記ベースフレーム１と対応する相似形状に形成された支持フレーム３’と、前記支持フレーム３’をカバーするプラスチックカバー４とから構成されたことを特徴とする。
請求項３の考案は、前記請求項１または２に記載の装飾ライトにおいて、  プラスチックカバー４の材質は塩化ビニル樹脂（ＰＶＣ）であることを特徴とする。
【考案の効果】
【０００７】
本考案は上記の課題を解決するものであり、針金によって立体的効果を模倣したベースフレームを形成すると共に、ベースフレームに発光ダイオードを光源とするケーブルライトを設けることにより、リアルな立体形状を表現可能とした装飾ライトを提供できる。更に、前記ケーブルライトを支持する支持プレートにプラスチック材より成るカバーを取り付けることにより、装飾ライトの照明光線の拡散を促し、外観をより向上させることができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【０００９】
図１は本考案に係る装飾ライトの一実施例を示す分解平面図であり、図２は、本考案に係る図１の装飾ライトの実施例の変形例を示す分解平面図であり、図３は本考案に係る装飾ライトにおけるプラスチック材を支持フレームに射出モールディングする状態を示す側面断面図であり、図４は本考案に係る装飾ライトを示す側面断面図である。
【００１０】
図１に示すように本考案に係る装飾ライトは、ベースフレーム１と、ケーブルライト２と、支持フレーム３と、プラスチックカバー４とを備え、ベースフレーム１は針金を折り曲げて所定の立体形状を形成したものである。
【００１１】
図１に示すのはトナカイを模した形状であり、ケーブルライト２は、端部が電源供給部に接続されるケーブルに複数の発光ダイオードからなる光源を並列状態に接続した従来のケーブルライトが使用されると共に、ベースフレーム１に固定されるようになっている。前記支持フレーム３は、プラスチック製の紐状材により前記ベースフレーム１の形状と対応する相似形状に形成されて、前記ベースフレーム１の上部に配設されることで、前記ケーブルライト２を前記ベースフレーム１に固定するようになっている。  
前記プラスチックカバー４は、支持フレーム３の上部から被せて装飾ライトの照明光線の拡散を向上させることにより外観を修正させるためのもので、その材質は透明又は半透明な塩化ビニル樹脂（ＰＶＣ）が好ましい。
【００１２】
また、前記支持フレーム３は、プラスチック状の紐状材に代えて、図２に示すように、透明なプラスチック製の扁平状プレートであるプラスチックプレートにより前記ケーブルライト２の形状と対応する相似形状に形成した支持フレーム３’としても良い。
【００１３】
以上のように、トナカイを模した形状の支持フレーム３の外表面部には、図３に示すように、溶融したプラスチック材５を射出モールド６によって全体を覆うように射出被覆することにより、皮プラスチックカバーを形成して、図４に示すようなトナカイを模した形状が形成される。
【産業上の利用可能性】
【００１４】
本考案は上記の構成を有するので、針金によって立体的効果を模倣したベースフレームを形成すると共に、ベースフレームに発光ダイオードを光源とするケーブルライトを配設することにより、サンタクロース、橇（そり）又はトナカイなどに限定されることなく、クリスマス用のツリーなどの所望形状を表現可能とした装飾ライトを製造することができる。
【００１５】
更に、プラスチック材より成るプラスチックカバーを取り付けることにより、光源からの照明光線の反射効果を高め、装飾ライトの外観をより向上させることができる。
【図面の簡単な説明】
【００１６】
【図１】本考案に係る装飾ライトの一実施例を示す分解平面図である。
【図２】本考案に係る図１の装飾ライトの実施例の変形例を示す分解平面図である。
【図３】本考案に係る装飾ライトにおける溶融したプラスチック材を支持フレームに射出被覆する状態を示す側面断面図である。
【図４】本考案に係る装飾ライトの完成状態を示す側面断面図である。
【符号の説明】
【００１７】
１          ベースフレーム
２          ケーブルライト
３          支持フレーム
３’        支持フレーム
４          プラスチックカバー
５          プラスチック材
６          射出モールド
【図１】
0003102289.tif 000003
【図２】
0003102289.tif 000004
【図３】
0003102289.tif 000005
【図４】
0003102289.tif 000006